(57)【特許請求の範囲】
【請求項１】
外部の双方向ＣＡＴＶシステムからの引込線を建造物内に引き込み、該建造物内の伝送線を介して、前記引込線から入力された下り信号を建造物内の端末端子まで伝送すると共に、
端末装置から出力された前記下り信号よりも周波数が低い上り信号を前記下り信号よりも周波数が高い棟内上り信号に周波数変換するアップコンバータを介して前記端末端子に入力された棟内上り信号を、前記伝送線を介して前記引込線まで伝送し、
更に、前記伝送線と前記引込線との間に設けられたダウンコンバータを介して、前記棟内上り信号を、前記端末装置が出力した元の周波数帯の上り信号に周波数変換して、前記引込線上に送出する棟内ＣＡＴＶシステムにおいて、
前記端末側のアップコンバータ及び前記引込線側のダウンコンバータは、互いに同じ特定の電波を受信して、その電波から一定周波数の信号を抽出し、該信号を周波数変換用の基準信号として用いて、前記上り信号及び前記棟内上り信号を夫々周波数変換すること、
を特徴とする棟内ＣＡＴＶシステム。
【請求項２】
請求項１に記載の棟内ＣＡＴＶシステムにおいて、
前記特定の電波は、所定の電波局から常時送信されると共に、振幅変調により情報が含ませられる電波であり、
前記アップコンバータ及びダウンコンバータは、前記電波を受信して、その電波から該電波の搬送波信号を前記一定周波数の信号として抽出し、該搬送波信号を周波数変換用の基準信号として用いて、前記上り信号及び前記棟内上り信号を夫々周波数変換すること、
を特徴とする棟内ＣＡＴＶシステム。
【請求項３】
請求項２に記載の棟内ＣＡＴＶシステムにおいて、
前記特定の電波は、標準周波数局から常時送信されている標準電波であること、
を特徴とする棟内ＣＡＴＶシステム。
【請求項４】
請求項１に記載の棟内ＣＡＴＶシステムにおいて、前記引込線と前記伝送線との間に設けられるダウンコンバータであって、
前記引込線を介して外部の双方向ＣＡＴＶシステムから入力された下り信号を前記伝送線上に送出するための第１下り信号通過経路と、
前記アップコンバータが受信するのと同じ前記特定の電波を受信し、その電波から前記一定周波数の信号を抽出して出力する第１信号出力手段と、
前記伝送線を介して入力される前記棟内上り信号を、前記第１信号出力手段から出力される信号を周波数変換用の基準信号として用いて、前記端末装置が出力した元の上り信号に周波数変換し、該周波数変換後の上り信号を前記引込線上に送出する第１周波数変換手段と、
を備えたことを特徴とするダウンコンバータ。
【請求項５】
請求項１に記載の棟内ＣＡＴＶシステムにおいて、前記端末端子と前記端末装置との間に設けられるアップコンバータであって、
前記伝送線を介して前記端末端子まで伝送されてきた下り信号を前記端末装置側に送出するための第２下り信号通過経路と、
前記ダウンコンバータが受信するのと同じ前記特定の電波を受信し、その電波から前記一定周波数の信号を抽出して出力する第２信号出力手段と、
前記端末装置から出力された上り信号を、前記第２信号出力手段から出力される信号を周波数変換用の基準信号として用いて、前記棟内上り信号に周波数変換し、該周波数変換後の棟内上り信号を前記端末端子を介して前記伝送線上に送出する第２周波数変換手段と、
を備えたことを特徴とするアップコンバータ。
【請求項６】
請求項２又は請求項３に記載の棟内ＣＡＴＶシステムにおいて、前記引込線と前記伝送線との間に設けられるダウンコンバータであって、
前記引込線を介して外部の双方向ＣＡＴＶシステムから入力された下り信号を前記伝送線上に送出するための第１下り信号通過経路と、
前記アップコンバータが受信するのと同じ前記特定の電波を受信し、その電波から該電波の搬送波信号を抽出して出力する第１信号出力手段と、
前記伝送線を介して入力される前記棟内上り信号を、前記第１信号出力手段から出力される前記搬送波信号を周波数変換用の基準信号として用いて、前記端末装置が出力した元の上り信号に周波数変換し、該周波数変換後の上り信号を前記引込線上に送出する第１周波数変換手段と、
を備えたことを特徴とするダウンコンバータ。
【請求項７】
請求項２又は請求項３に記載の棟内ＣＡＴＶシステムにおいて、前記端末端子と前記端末装置との間に設けられるアップコンバータであって、
前記伝送線を介して前記端末端子まで伝送されてきた下り信号を前記端末装置側に送出するための第２下り信号通過経路と、
前記ダウンコンバータが受信するのと同じ前記特定の電波を受信し、その電波から該電波の搬送波信号を抽出して出力する第２信号出力手段と、
前記端末装置から出力された上り信号を、前記第２信号出力手段から出力される前記搬送波信号を周波数変換用の基準信号として用いて、前記棟内上り信号に周波数変換し、該周波数変換後の棟内上り信号を前記端末端子を介して前記伝送線上に送出する第２周波数変換手段と、
を備えたことを特徴とするアップコンバータ。
【発明の詳細な説明】
【０００１】
【発明の属する技術分野】
本発明は、外部の双方向ＣＡＴＶシステムからの引込線を建造物内に引き込み、建造物内の伝送線を介して、建造物内の端末端子と双方向ＣＡＴＶシステムの伝送路とを接続する棟内ＣＡＴＶシステムに関する。
【０００２】
【従来の技術】
従来より、外部の双方向ＣＡＴＶシステムからの引込線を建造物内に引き込み、建造物内の伝送線を介して、建造物内の複数の端末端子と双方向ＣＡＴＶシステムとを接続し、双方向ＣＡＴＶシステムからの下り信号及び端末端子に入力された端末装置からの上り信号を双方向に伝送する棟内ＣＡＴＶシステムでは、建造物内の各部で発生した雑音が加入者側の端末端子等を介して伝送線に重畳され、これが流合雑音として、上り信号と一緒に外部の双方向ＣＡＴＶシステムに出力されてしまうことがある。
【０００３】
そこで、従来では、外部の双方向ＣＡＴＶシステムへ流出する流合雑音を低減するため、ケーブルモデム等の加入者側端末装置にて生成された上り信号（双方向ＣＡＴＶシステムで伝送可能な周波数帯（例えば１０〜５５ＭＨｚ）の信号）を、アップコンバータにて、元の周波数よりも高く、しかも、下り信号の伝送周波数（例えば７０〜７７０ＭＨｚ）と重複することのない、ＵＨＦ帯（例えば８２１ＭＨｚ〜８６６ＭＨｚ）の上り信号（以下、棟内上り信号という）に周波数変換して、引込線まで伝送し、棟内の伝送線から引込線へ上り信号を出力する直前で、棟内上り信号を、ダウンコンバータを用いて、元の周波数（換言すれば、双方向ＣＡＴＶシステムでの上り信号の伝送周波数）に変換することが考えられている。
【０００４】
ところで、このように、棟内ＣＡＴＶシステムの端末側で、上り信号を棟内上り信号に周波数変換し、棟内ＣＡＴＶシステムと外部の双方向ＣＡＴＶシステムとの接続点で、棟内上り信号を元の上り信号に周波数変換するようにした場合、棟内ＣＡＴＶシステムから外部の双方向ＣＡＴＶシステムに出力される流合雑音を低減することはできるものの、端末側で周波数変換に用いられるアップコンバータと、棟内ＣＡＴＶシステムと外部の双方向ＣＡＴＶシステムとの接続点で周波数変換に用いられるダウンコンバータとが、夫々、専用の発振回路からの出力を用いて周波数変換を行うように構成すると、各発振回路で得られる周波数変換用の基準信号の周波数にずれが生じ、ダウンコンバータにおいて、棟内上り信号を、端末装置が生成した元の上り信号に変換することができなくなる虞がある。
【０００５】
そこで、従来では、ダウンコンバータにて、棟内上り信号から元の上り信号を正確に復元できるようにするため、アップコンバータ及びダウンコンバータが周波数変換に用いる基準信号として、双方向ＣＡＴＶシステムで下り信号のレベル調整等のために使用されるパイロット信号を用いることも考えられている。つまり、アップコンバータ及びダウンコンバータが、双方向ＣＡＴＶシステム側のパイロット信号を基準信号として各上り信号を周波数変換するように構成することで、各コンバータでの基準信号の周波数を完全に一致させ、ダウンコンバータ側で、棟内上り信号を元の上り信号に正確に復元できるようにするのである。
【０００６】
【発明が解決しようとする課題】
しかし、上記のように、アップコンバータ及びダウンコンバータが、周波数変換用の基準信号として、下り信号に含まれるパイロット信号を用いるように構成すると、棟内ＣＡＴＶシステムが、パイロット信号を全く伝送しない双方向ＣＡＴＶシステムや、保守作業時にだけパイロット信号を伝送するような双方向ＣＡＴＶシステムに接続された場合に、アップコンバータ及びダウンコンバータが正常動作しなくなり、棟内ＣＡＴＶシステムの端末装置側で生成された上り信号を、双方向ＣＡＴＶシステムのセンタ装置側に伝送できなくなってしまう。
【０００７】
本発明はこうした問題に鑑みなされたものであり、端末側ではアップコンバータを用いて上り信号を周波数が高い棟内上り信号に周波数変換し、外部の双方向ＣＡＴＶシステムに接続される引込線側では、ダウンコンバータを用いて棟内上り信号を元の上り信号に周波数変換するようにした棟内ＣＡＴＶシステムにおいて、外部の双方向ＣＡＴＶシステムからの下り信号に重畳されたパイロット信号を周波数変換用の基準信号として使用することなく、ダウンコンバータにて元の上り信号を正確に復元できるようにすることを目的とする。
【０００８】
【課題を解決するための手段及び発明の効果】
かかる目的を達成するためになされた請求項１に記載の棟内ＣＡＴＶシステムにおいては、前述した従来の棟内ＣＡＴＶシステムと同様、外部の双方向ＣＡＴＶシステムから引込線を介して入力された下り信号を、建造物内の伝送線を介して該建造物内の端末端子まで伝送すると共に、アップコンバータを介して端末端子に入力された棟内上り信号を、建造物内の伝送線を介して、外部の双方向ＣＡＴＶシステムからの引込線まで伝送し、しかも、この引込線から外部の双方向ＣＡＴＶシステムには、引込線と建造物内の伝送線との間に設けられたダウンコンバータを用いて棟内上り信号を端末装置が出力した元の周波数帯の上り信号に周波数変換した上り信号を送出するようにされている。
【０００９】
そして、請求項１の棟内ＣＡＴＶシステムでは、ダウンコンバータにて棟内上り信号を元の上り信号に正確に周波数変換できるようにするために、アップコンバータ及びダウンコンバータが、互いに同じ特定の電波を受信して、その電波から一定周波数の信号を抽出し、その信号を周波数変換用の基準信号として用いて、上り信号及び棟内上り信号を夫々周波数変換するように構成されている。
【００１０】
このため、請求項１の棟内ＣＡＴＶシステムによれば、外部の双方向ＣＡＴＶシステムから入力される下り信号にパイロット信号が重畳されているか否かに全く拘わらず、ダウンコンバータ及びアップコンバータが共通の基準信号を用いて、棟内上り信号或いは上り信号を周波数変換することができるようになり、ダウンコンバータでは、端末装置からアップコンバータに入力された元の上り信号を正確に復元することが可能となる。よって、どの様な双方向ＣＡＴＶシステムにも適用することができるようになる。また、アップコンバータとダウンコンバータが、同じ特定の電波を受信して周波数変換用の基準信号を得るようにしているため、アップコンバータとダウンコンバータとの間に、両コンバータへ共通の基準信号を供給するための別配線を設けたりする必要なく、上記効果を得ることができる。
【００１１】
ここで、アップコンバータ及びダウンコンバータが受信する特定の電波としては、所定の電波局から常時（２４時間）送信され且つ一定周波数の信号が抽出可能な（一定周波数の信号を含んだ）電波であれば、何れを選択しても良いが、例えば請求項２に記載の如く、上記特定の電波として、所定の電波局から常時送信されると共に、振幅変調（ＡＭ）によって情報が含ませられる電波（ＡＭ波）を選択し、更に、アップコンバータ及びダウンコンバータが、そのＡＭ波を受信して、該ＡＭ波からその搬送波信号を一定周波数の信号として抽出し、該搬送波信号を周波数変換用の基準信号として用いて、上り信号及び棟内上り信号を夫々周波数変換するように構成すれば、ＡＭ波から搬送波信号を抽出するための手段が、バンドパスフィルタや信号の振幅を抑圧するリミッタ回路といった簡単な回路で実現できるため、非常に有利である。つまり、アンテナによりＡＭ波を受信して、その受信信号を搬送波信号の周波数帯のみ通過させるバンドパスフィルタに入力させ、そのバンドパスフィルタから出力される信号の振幅をリミッタ回路により抑圧するだけで、一定周波数且つ正弦波の搬送波信号を抽出することができる。
【００１２】
また特に、アップコンバータ及びダウンコンバータが受信する特定の電波としてのＡＭ波を、標準周波数局から常時送信されている標準電波とすれば、より効果的である。
即ち、標準電波の周波数精度は、例えば±１０-8〜±１０-12 といった具合に非常に高精度であるため、ダウンコンバータとアップコンバータとが、より同じ周波数の基準信号を用いて棟内上り信号或いは上り信号を周波数変換することができるようになり、ダウンコンバータにて、端末装置からアップコンバータに入力された元の上り信号を、より正確に復元することが可能となるからである。
【００１３】
尚、アップコンバータ及びダウンコンバータが受信するのに好適なＡＭ波の標準電波としては、例えば、おおたかどや山標準電波送信所（福島県田村郡都路村）から、周波数及び時刻の標準として常時送信されている長波帯（４０ｋＨｚ）の標準電波（ＪＪＹ）がある。
【００１４】
次に、請求項４に記載のダウンコンバータは、請求項１に記載の棟内ＣＡＴＶシステムにおいて、引込線と建造物内の伝送線との間に設けられ、棟内上り信号を元の上り信号に周波数変換するためのものである。そして、このダウンコンバータにおいては、引込線を介して外部の双方向ＣＡＴＶシステムから入力された下り信号を、第１下り信号通過経路を介して、建造物内の伝送線上に送出する。
【００１５】
また、このダウンコンバータにおいては、第１信号出力手段が、端末側のアップコンバータが受信するのと同じ電波を受信して、その電波から一定周波数の信号を抽出して出力し、第１周波数変換手段が、伝送線を介して入力されるアップコンバータからの棟内上り信号を、第１信号出力手段から出力される信号を周波数変換用の基準信号として用いて、元の上り信号に周波数変換し、その周波数変換後の上り信号を引込線側に送出する。
【００１６】
このため、請求項４に記載のダウンコンバータによれば、引込線を介して外部の双方向ＣＡＴＶシステムから入力された下り信号を端末側に伝送できると共に、端末側よりアップコンバータを介して伝送されてきた棟内上り信号を、元の周波数の上り信号に周波数変換して、外部の双方向ＣＡＴＶシステムに送出することができる。
【００１７】
一方、請求項５に記載のアップコンバータは、請求項１に記載の棟内ＣＡＴＶシステムにおいて、端末端子と端末装置との間に設けられ、端末装置から出力された上り信号を棟内上り信号に周波数変換し、その周波数変換後の棟内上り信号を端末端子を介して伝送線上に送出するためのものである。そして、このアップコンバータにおいては、伝送線を介して端末端子まで伝送されてきた下り信号を、第２下り信号通過経路を介して、端末装置側に送出する。
【００１８】
また、このアップコンバータにおいては、第２信号出力手段が、ダウンコンバータが受信するのと同じ電波を受信して、その電波から一定周波数の信号を抽出して出力し、第２周波数変換手段が、端末装置から出力された上り信号を、第２信号出力手段から出力される信号を周波数変換用の基準信号として用いて、棟内上り信号に周波数変換し、その周波数変換後の棟内上り信号を端末端子を介して棟内ＣＡＴＶシステムの伝送線上に送出する。
【００１９】
このため、請求項５に記載のアップコンバータによれば、伝送線を介して端末端子まで伝送されてきた下り信号を端末装置に入力できると共に、端末装置から出力された上り信号を、棟内上り信号に周波数変換して、端末端子から伝送線上に送出することができる。
【００２０】
そして、この請求項５に記載のアップコンバータによれば、請求項１の棟内ＣＡＴＶシステムを構築するに当たり、前述した請求項４のダウンコンバータと組み合わせて使用することにより、そのダウンコンバータ側にて、棟内上り信号を元の上り信号に正確に復元させることが可能となる。
【００２１】
次に、請求項６に記載のダウンコンバータは、請求項２又は請求項３に記載の棟内ＣＡＴＶシステムにおいて、引込線と建造物内の伝送線との間に設けられ、棟内上り信号を元の上り信号に周波数変換するためのものである。そして、このダウンコンバータにおいては、引込線を介して外部の双方向ＣＡＴＶシステムから入力された下り信号を、第１下り信号通過経路を介して、建造物内の伝送線上に送出する。
【００２２】
また、このダウンコンバータにおいては、第１信号出力手段が、端末側のアップコンバータが受信するのと同じ電波（ＡＭ波）を受信して、その電波から該電波の搬送数信号を抽出して出力し、第１周波数変換手段が、伝送線を介して入力されるアップコンバータからの棟内上り信号を、第１信号出力手段から出力される搬送波信号を周波数変換用の基準信号として用いて、元の上り信号に周波数変換し、その周波数変換後の上り信号を引込線側に送出する。
【００２３】
このため、請求項６に記載のダウンコンバータによれば、引込線を介して外部の双方向ＣＡＴＶシステムから入力された下り信号を端末側に伝送できると共に、端末側よりアップコンバータを介して伝送されてきた棟内上り信号を、元の周波数の上り信号に周波数変換して、外部の双方向ＣＡＴＶシステムに送出することができる。しかも、第１周波数変換手段のうち、受信したＡＭ波から搬送波信号を抽出するための回路部分が、前述したように簡単なもので済むという利点がある。
【００２４】
一方、請求項７に記載のアップコンバータは、請求項２又は請求項３に記載の棟内ＣＡＴＶシステムにおいて、端末端子と端末装置との間に設けられ、端末装置から出力された上り信号を棟内上り信号に周波数変換し、その周波数変換後の棟内上り信号を端末端子を介して伝送線上に送出するためのものである。そして、このアップコンバータにおいては、伝送線を介して端末端子まで伝送されてきた下り信号を、第２下り信号通過経路を介して、端末装置側に送出する。
【００２５】
また、このアップコンバータにおいては、第２信号出力手段が、ダウンコンバータが受信するのと同じ電波（ＡＭ波）を受信して、その電波から該電波の搬送波信号を抽出して出力し、第２周波数変換手段が、端末装置から出力された上り信号を、第２信号出力手段から出力される搬送波信号を周波数変換用の基準信号として用いて、棟内上り信号に周波数変換し、その周波数変換後の棟内上り信号を端末端子を介して棟内ＣＡＴＶシステムの伝送線上に送出する。
【００２６】
このため、請求項７に記載のアップコンバータによれば、伝送線を介して端末端子まで伝送されてきた下り信号を端末装置に入力できると共に、端末装置から出力された上り信号を、棟内上り信号に周波数変換して、端末端子から伝送線上に送出することができる。しかも、第２周波数変換手段のうち、受信したＡＭ波から搬送波信号を抽出するための回路部分が、前述したように簡単なもので済むという利点がある。
【００２７】
そして、この請求項７に記載のアップコンバータによれば、請求項２又は請求項３の棟内ＣＡＴＶシステムを構築するに当たり、前述した請求項６のダウンコンバータと組み合わせて使用することにより、そのダウンコンバータ側にて、棟内上り信号を元の上り信号に正確に復元させることが可能となる。
【００２８】
【発明の実施の形態】
以下に本発明の実施例を図面と共に説明する。
図１は、本発明が適用された実施例の棟内ＣＡＴＶシステム全体の構成を表す構成図である。
【００２９】
図１に示す如く、本実施例の棟内ＣＡＴＶシステムは、外部の双方向ＣＡＴＶシステムの伝送線（ＣＡＴＶ伝送線）２から分岐装置４を介して分岐された引込線６を、保安器８を介して、マンション，アパート等の建造物内に引き込み、その建造物内に配線された同軸ケーブルからなる伝送線Ｌ、及び、この伝送線Ｌに設けられた双方向増幅器１２，分岐器１４，分配器１６等を介して、引込線６から入力された双方向ＣＡＴＶシステムの下り信号（周波数：７０ＭＨｚ〜７７０ＭＨｚ）を、建造物内の各加入者宅に設置された直列ユニット等からなる複数の端末端子１８まで伝送すると共に、加入者側の各種端末装置から後述のアップコンバータ２０を介して端末端子１８に入力された棟内上り信号を、引込線６まで伝送するものである。
【００３０】
そして、本実施例の棟内ＣＡＴＶシステムでは、加入者側で、外部の双方向ＣＡＴＶシステムのセンタ装置を介してインターネットを楽しむ場合や、センタ装置に対して有料番組の視聴予約やテレビショッピング等のためのデータを送信する際には、その加入者側の端末端子１８に、アップコンバータ２０及びケーブルモデム２２を介して、データ通信用の情報端末装置（パーソナルコンピュータ等）２４を接続する。
【００３１】
この結果、情報端末装置２４から出力されたデータ通信用の送信データは、ケーブルモデム２２にて、外部の双方向ＣＡＴＶシステムで伝送可能な所定周波数帯（本実施例では、１０ＭＨｚ〜５５ＭＨｚ）の上り信号に変換され、更に、この上り信号は、アップコンバータ２０にて、所定周波数帯（本実施例では、８２１ＭＨｚ〜８６６ＭＨｚ）の棟内上り信号に周波数変換されて、端末端子１８に入力される。
【００３２】
このため、棟内ＣＡＴＶシステムの伝送線Ｌと、外部の双方向ＣＡＴＶシステムからの引込線６との接続部分には、各端末端子１８から伝送線Ｌを介して伝送されてきた棟内上り信号を、外部の双方向ＣＡＴＶシステムで伝送可能な元の上り信号に周波数変換するためのダウンコンバータ１０が設けられている。
【００３３】
尚、図１において、符号２６は、アップコンバータ２０が接続されない端末端子１８（若しくはアップコンバータ２０に設けられた下り信号の出力端子）に接続され、伝送線Ｌを介して伝送されてきた外部の双方向ＣＡＴＶシステムからの下り信号を受信して、所望チャンネルのテレビ放送を復調・再生するテレビ受信機を表す。
【００３４】
次に、本実施例の棟内ＣＡＴＶシステムで用いられるダウンコンバータ１０，及びアップコンバータ２０の夫々の構成を、図２を用いて説明する。
［ダウンコンバータ］
まず図２（Ａ）に示すように、ダウンコンバータ１０には、外部の双方向ＣＡＴＶシステムからの引込線６を接続するための外部接続端子Ｔ１と、建造物内の伝送線Ｌを接続するための内部接続端子Ｔ２とが備えられている。
【００３５】
そして、外部接続端子Ｔ１に入力された下り信号は、ハイパスフィルタ（以下、ＨＰＦと記載する）３２を介して、一旦、ダウンコンバータ１０内に取り込まれ、ローパスフィルタ（以下、ＬＰＦと記載する）３４，及び内部接続端子Ｔ２を介して、端末側の伝送線Ｌ上に送出される。
【００３６】
尚、ＨＰＦ３２は、下り信号を通過させ、周波数変換後の上り信号の通過を阻止するためのものであり、カットオフ周波数が例えば７０ＭＨｚに設定されている。また、ＬＰＦ３４は、下り信号を通過させ、周波数変換前の棟内上り信号の通過を阻止するためのものであり、カットオフ周波数が例えば７７０ＭＨｚに設定されている。従って、本実施例のダウンコンバータ１０においては、ＨＰＦ３２とＬＰＦ３４とにより、本発明の第１下り信号通過経路が形成されることになる。
【００３７】
次に、内部接続端子Ｔ２に入力される端末側からの棟内上り信号は、ＨＰＦ３６を介して、ダウンコンバータ１０内に取り込まれる。尚、ＨＰＦ３６は、ＬＰＦ３４から出力される下り信号の回り込みを防止し、棟内上り信号のみを選択的に取り込むためのものであり、カットオフ周波数が例えば８２１ＭＨｚに設定されている。
【００３８】
そして、ＨＰＦ３６を介してダウンコンバータ１０内に取り込まれた棟内上り信号は、バンドパスフィルタ（以下、ＢＰＦと記載する）３８を介して周波数変換用のミキサ４０に入力される。尚、ＢＰＦ３８は、棟内上り信号（８２１ＭＨｚ〜８６６ＭＨｚ）のみを選択的に通過させるものである。
【００３９】
ミキサ４０は、ＰＬＬ回路４４により発振周波数が一定（例えば８７６ＭＨｚ）に制御された周波数可変型の局部発振回路４２からの信号を受けて、棟内上り信号を、双方向ＣＡＴＶシステム用の上り信号に周波数変換するものである。そして、このミキサ４０にて周波数変換された上り信号は、ＢＰＦ４６，ＬＰＦ４８，及び外部接続端子Ｔ１を介して、引込線６側に送出される。尚、ＢＰＦ４６は、周波数変換後の上り信号（１０ＭＨｚ〜５５ＭＨｚ）のみを選択的に通過させるものである。また、ＬＰＦ４８は、外部接続端子Ｔ１に入力された下り信号の通過を阻止し、周波数変換後の上り信号のみを通過させるためのものであり、そのカットオフ周波数は、例えば５５ＭＨｚに設定されている。
【００４０】
一方、ＰＬＬ回路４４は、局部発振回路４２から出力される周波数変換用の信号と基準信号との位相が一致するように局部発振回路４２の発振周波数を制御するためのものであるが、本実施例のダウンコンバータ１０では、このＰＬＬ回路４４が局部発振回路４２の発振周波数を制御するのに用いる基準信号（周波数変換用の基準信号）を、所定の電波局から常時送信されている特定の電波から生成するようにしている。
【００４１】
即ち、本実施例のダウンコンバータ１０は、前述した標準周波数局から常時送信されている長波帯の標準電波（以下、長波帯ＪＪＹと記載する）を受信するアンテナ５０と、アンテナ５０からの受信信号が入力されて、長波帯ＪＪＹの搬送波の周波数帯（４０ｋＨｚ）だけを通過させる狭帯域のＢＰＦ５２と、ＢＰＦ５２を通過した信号を所定レベルまで増幅する増幅回路５４とを備えている。そして、ダウンコンバータ１０において、増幅回路５４の出力は、更にＢＰＦ５２と同特性のＢＰＦ５６を介して、リミッタ回路としてのリミッタアンプ５８に入力され、このリミッタアンプ５８にて振幅が所定値に抑圧された後、ＰＬＬ回路４４へ周波数変換用の基準信号として入力される。
【００４２】
このため、アンテナ５０によって受信された長波帯ＪＪＹから、ＢＰＦ５２，５６により、４０ｋＨｚの搬送波信号が抽出され、更に、その搬送波信号は、振幅がリミッタアンプ５８により一定にされて正弦波に成形され、こうして正弦波に成形された長波帯ＪＪＹの搬送波信号（４０ｋＨｚ）が、周波数変換用の基準信号としてＰＬＬ回路４４に入力される。
【００４３】
そして、ＰＬＬ回路４４は、この基準信号と局部発振回路４２からの出力とを夫々分周し、これら分周後の各信号の位相を一致させるための制御信号を生成して、局部発振回路４２に出力することにより、局部発振回路４２からの出力を、基準信号に対応した一定周波数（８７６ＭＨｚ）に制御する。
【００４４】
また、本実施例のダウンコンバータ１０においては、長波帯ＪＪＹを受信してそれの搬送波信号を周波数変換用の基準信号として出力するために設けられたアンテナ５０、ＢＰＦ５２，５６、増幅回路５４、及びリミッタアンプ５８が、本発明の第１信号出力手段として機能し、棟内上り信号を基準信号を用いて上り信号に周波数変換するために設けられた局部発振回路４２、ＰＬＬ回路４４、及びミキサ４０が、本発明の第１周波数変換手段として機能する。
［アップコンバータ］
一方、図２（Ｂ）に示すように、アップコンバータ２０には、同軸ケーブル等を介して端末端子１８に接続するための第１接続端子Ｔ３と、上り信号を出力してくるケーブルモデム２２等の通信用端末装置に接続するための第２接続端子Ｔ４と、テレビ受像機２６等の再生用端末装置に接続するための第３接続端子Ｔ５とが備えられている。
【００４５】
そして、端末端子１８から第１接続端子Ｔ３に入力された下り信号は、ＬＰＦ６２を介して、一旦、アップコンバータ２０内に取り込まれ、第３接続端子Ｔ５を介して、テレビ受像機２６等の再生用端末装置に出力される。また、ＬＰＦ６２から第３接続端子Ｔ５に至る下り信号の通過経路上には、下り信号の一部を分岐させる方向性結合器からなる分岐回路６４が設けられており、この分岐回路６４にて分岐された下り信号は、方向性結合器からなる混合回路６６を介して、第２接続端子Ｔ４まで導かれ、第２接続端子Ｔ４からケーブルモデム２２等の通信用端末装置に出力される。
【００４６】
尚、ＬＰＦ６２は、周波数変換後の棟内上り信号の通過を阻止し、端末端子１８から第１接続端子Ｔ３に入力された下り信号のみを通過させるためのものであり、カットオフ周波数が例えば７７０ＭＨｚに設定されている。従って、本実施例のアップコンバータ２０には、ＬＰＦ６２，分岐回路６４，及び混合回路６６によって、本発明の第２下り信号通過経路が、２系統形成されていることになる。
【００４７】
次に、ケーブルモデム２２等の通信用端末装置から第２接続端子Ｔ４に入力された上り信号は、混合回路６６及びＢＰＦ６８を介して周波数変換用のミキサ７０に入力される。尚、ＢＰＦ６８は、上り信号（１０ＭＨｚ〜５５ＭＨｚ）のみを選択的に通過させるものである。
【００４８】
ミキサ７０は、ＰＬＬ回路７４により発振周波数が一定（例えば８７６ＭＨｚ）に制御された周波数可変型の局部発振回路７２からの信号を受けて、上り信号を棟内上り信号に周波数変換するものである。
そして、このミキサ７０にて周波数変換された棟内上り信号は、ＢＰＦ７６，ＨＰＦ７８，及び第１接続端子Ｔ３を介して、端末端子１８側に送出される。尚、ＢＰＦ７６は、周波数変換後の棟内上り信号（８２１ＭＨｚ〜８６６ＭＨｚ）のみを選択的に通過させるものである。また、ＨＰＦ７８は、第１接続端子Ｔ３に入力された下り信号の通過を阻止し、周波数変換後の棟内上り信号のみを通過させるためのものであり、そのカットオフ周波数は、例えば８２１ＭＨｚに設定されている。
【００４９】
一方、ＰＬＬ回路７４は、局部発振回路７２から出力される周波数変換用の信号と基準信号との位相が一致するように局部発振回路７２の発振周波数を制御するためのものであるが、本実施例のアップコンバータ２０では、このＰＬＬ回路７４が局部発振回路４２の発振周波数を制御するのに用いる基準信号（周波数変換用の基準信号）を、ダウンコンバータ１０が受信するのと同じ特定の電波から生成するようにしている。
【００５０】
このため、アップコンバータ２０には、ダウンコンバータ１０に備えられたアンテナ５０、ＢＰＦ５２，５６、増幅回路５４、及びリミッタアンプ５８と全く同じアンテナ８０、ＢＰＦ８２，８６、増幅回路８４、及びリミッタアンプ８８が設けられている。
【００５１】
即ち、アップコンバータ２０は、長波帯ＪＪＹを受信するアンテナ８０と、アンテナ８０からの受信信号が入力されて、長波帯ＪＪＹの搬送波の周波数帯（４０ｋＨｚ）だけを通過させる狭帯域のＢＰＦ８２と、ＢＰＦ８２を通過した信号を所定レベルまで増幅する増幅回路８４とを備えている。そして、増幅回路８４の出力は、更にＢＰＦ８２と同特性のＢＰＦ８６を介して、リミッタ回路としてのリミッタアンプ８８に入力され、このリミッタアンプ８８にて振幅が所定値に抑圧された後、ＰＬＬ回路７４へ周波数変換用の基準信号として入力される。
【００５２】
このため、アップコンバータ２０においても、ダウンコンバータ１０と同様に、アンテナ８０によって受信された長波帯ＪＪＹから、ＢＰＦ８２，８６により、それの４０ｋＨｚの搬送波信号が抽出され、更に、その搬送波信号は、振幅がリミッタアンプ８８により一定にされて正弦波に成形され、こうして正弦波に成形された長波帯ＪＪＹの搬送波信号（４０ｋＨｚ）が、周波数変換用の基準信号としてＰＬＬ回路７４に入力される。
【００５３】
また、ＰＬＬ回路７４は、ダウンコンバータ１０内のＰＬＬ回路４４と同様に、リミッタアンプ８８から入力される基準信号と局部発振回路７２からの出力とを夫々分周し、これら分周後の各信号の位相を一致させるための制御信号を生成して、局部発振回路７２に出力することにより、局部発振回路７２からの出力を、基準信号に対応した一定周波数（８７６ＭＨｚ）に制御する。
【００５４】
そして、本実施例のアップコンバータ２０においては、長波帯ＪＪＹを受信してそれの搬送波信号を周波数変換用の基準信号として出力するために設けられたアンテナ８０、ＢＰＦ８２，８６、増幅回路８４、及びリミッタアンプ８８が、本発明の第２信号出力手段として機能し、上り信号を基準信号を用いて棟内上り信号に周波数変換するために設けられた局部発振回路７２、ＰＬＬ回路７４、及びミキサ７０が、本発明の第２周波数変換手段として機能する。
【００５５】
以上説明したように、本実施例の棟内ＣＡＴＶシステムにおいては、アップコンバータ２０にて周波数変換された棟内上り信号を、ダウンコンバータ１０にて元の上り信号に正確に周波数変換できるようにするために、アップコンバータ２０とダウンコンバータ１０とが、互いに同じ電波（長波帯ＪＪＹ）を受信して、その電波から一定周波数の搬送波信号を抽出し、その搬送波信号を周波数変換用の基準信号として用いて、上り信号及び棟内上り信号を夫々周波数変換するように構成されている。
【００５６】
このため、本実施例の棟内ＣＡＴＶシステムによれば、外部の双方向ＣＡＴＶシステムから入力される下り信号に基準信号として使用できる特定伝送信号（パイロット信号等）が含まれているか否かに拘わらず、各端末端子１８に接続されるアップコンバータ２０がケーブルモデム２２等の通信用端末装置から出力される上り信号を棟内上り信号に周波数変換するのに使用する基準信号と、ダウンコンバータ１０が棟内上り信号を元の上り信号に周波数変換するのに使用する基準信号とを一致させることができ、ダウンコンバータ１０側で棟内上り信号から元の上り信号を正確に復元して、外部の双方向ＣＡＴＶシステムの伝送線２に送出することができる。よって、本実施例の棟内ＣＡＴＶシステムによれば、どの様な双方向ＣＡＴＶシステムにも適用することができるようになる。
【００５７】
また、アップコンバータ２０とダウンコンバータ１０が、同じ電波を受信して周波数変換用の基準信号を得るようにしているため、アップコンバータ２０とダウンコンバータ１０との間に、両コンバータ１０，２０へ共通の基準信号を供給するための別配線を設けたりする必要なく、上記効果を得ることができる。
【００５８】
以上、本発明の一実施例について説明したが、本発明は上記実施例に限定されるものではなく、種々の態様を採ることができる。
例えば、上記実施例では、ダウンコンバータ１０とアップコンバータ２０が、長波帯ＪＪＹを受信するようにしたが、周波数変換用の基準信号を得るために受信する電波は、これに限らず、例えば、ラジオ放送局から常時送信されている所定チャンネルのＡＭ放送波でも良い。そして、こうしたＡＭ放送波を受信するようにした場合にも、図２と同じ回路構成を採ることができる。
【００５９】
また、ダウンコンバータ１０とアップコンバータ２０が基準信号を得るために受信する電波は、ＡＭ波に限らず、所定の電波局から常時送信され且つ一定周波数の信号が抽出可能な電波であれば、他の変調方式の電波を選択しても良い。
一方また、ダウンコンバータ１０とアップコンバータ２０は、長波帯ＪＪＹ以外の他の標準電波を受信して、基準信号を得るように構成しても良い。尚、現在、長波帯ＪＪＹ以外の標準電波としては、名崎無線送信所（茨城県猿島郡三和町）から送信されている短波帯（５，８，１０ＭＨｚ）の標準電波（以下、短波帯ＪＪＹという）や、ＪＧ２ＡＳと呼ばれる長波帯（４０ｋＨｚ）の標準電波がある。
【００６０】
但し、短波帯ＪＪＹは、長波帯ＪＪＹと同様にＡＭ波であるが、毎時３５分から３９分の間だけ停波される。
このため、ダウンコンバータ１０とアップコンバータ２０が、短波帯ＪＪＹのように微少時間だけ停波されるＡＭ波を受信して、その搬送波信号を周波数変換用の基準信号として用いる場合には、電波を受信できているか否かを判定する判定手段と、この判定手段にて電波が受信できないと判定されている間、ＰＬＬ回路４４，７４から局部発振回路４２，７２への制御信号を、判定手段にて電波が受信できないと判定された時点の制御信号に固定する固定手段と、を設ければ良い。また、上記固定手段に代えて、判定手段にて電波が受信できないと判定されると、その時点でリミッタアンプ５８，８８から出力されていた信号と同じ信号をＰＬＬ回路４４，７４へ基準信号として出力し続ける手段を設けるようにしても良い。つまり、何れにしても、電波が受信できなくなると、その直前の状態（周波数変換状態）を保持するよう構成すれば良いのである。そして、このことは、ＡＭ波以外の電波を受信するようにした場合も同様である。
【図面の簡単な説明】
【図１】  実施例の棟内ＣＡＴＶシステムの構成を表す構成図である。
【図２】  図１のシステムで用いられるダウンコンバータ，アップコンバータの構成を夫々表すブロック図である。
【符号の説明】
６…引込線、８…保安器、Ｌ…伝送線、１０…ダウンコンバータ、１２…双方向増幅器、１４…分岐器、１６…分配器、１８…端末端子、２０…アップコンバータ、２２…ケーブルモデム、２４…情報端末装置、２６…テレビ受像機、４０，７０…ミキサ、４２，７２…局部発振回路、４４，７４…ＰＬＬ回路、５０，８０…アンテナ、５４，８４…増幅回路、５８，８８…リミッタアンプ、３２，３６，７８…ＨＰＦ（ハイパスフィルタ）、３４，４８，６２…ＬＰＦ（ローパスフィルタ）、３８，４６，５２，５６，６８，７６，８２，８６…ＢＰＦ（バンドパスフィルタ）
【図１】
0004416231.tif 000002
【図２】
0004416231.tif 000003